(57)【要約】【課題】  本発明は、入力装置の小型が可能で構造が簡単な入力装置の操作方法を提供すること。【解決手段】  本発明の入力装置の操作方法は、直線状の操作部４ａと、この操作部４ａと対向する下部に所定のピッチ寸法で整列して直線方向に形成した複数のスイッチ部Ｓとを有し、操作部４ａを介してスイッチ部Ｓを操作するスイッチ操作によって外部機器の複数の機能を制御可能な入力装置４の操作方法であって、スイッチ部Ｓは、少なくとも３個（Ｓ１、Ｓ２、Ｓ３）以上配設され、スイッチ操作は、複数のスイッチ部Ｓ１、Ｓ２、Ｓ３を一方向（矢印Ｂ）、または他方向（矢印Ａ）に操作する複数の操作パターンに対応して、外部機器の複数の機能を選択、または動作させるようになっている。【選択図】        図２
2006166048.tif 000002
【特許請求の範囲】
【請求項１】
直線状の操作部と、この操作部と対向する下部に所定のピッチ寸法で整列して直線方向に形成した複数のスイッチ部とを有し、前記操作部を介して前記スイッチ部を操作するスイッチ操作によって外部機器の複数の機能を制御可能な入力装置の操作方法であって、前記スイッチ部は、少なくとも３個以上配設され、前記スイッチ操作は、複数の前記スイッチ部を操作する複数の操作パターンに対応して、前記外部機器の前記複数の機能を動作させるようにしたことを特徴とする入力装置の操作方法。
【請求項２】
前記入力装置には、前記スイッチ部が操作されたことを検出可能な制御部が配設され、前記制御部が、少なくとも３個以上の前記スイッチ部が操作されたことを検出すると、前記外部機器の前記機能を動作させるようにしたことを特徴とする請求項１記載の入力装置の操作方法。
【請求項３】
前記外部機器側は、表示部を有し、前記複数の操作パターンに対応する所定の記号が前記表示部に表示されることを特徴とする請求項１、または２記載の入力装置の操作方法。
【請求項４】
前記外部機器は、音発生部を有し、前記複数の操作パターンに対応する所定の音が前記音発生部から出力されることを特徴とする請求項１乃至３のいずれかに記載の入力装置の操作方法。
【請求項５】
一端部側に位置する前記スイッチ部から他方向側に順番に位置する少なくとも３個以上の前記スイッチ部を連続して操作する第１の操作パターンに対応して、前記複数の機能の内の一つが動作することを特徴とする請求項３、または４に記載の入力装置の操作方法。
【請求項６】
他端部側に位置する前記スイッチ部から一方向側に順番に位置する少なくとも３個以上の前記スイッチ部を連続して操作する第２の操作パターンに対応して、前記第１の操作パターンで動作する前記機能と異なる機能が動作することを特徴とする請求項５記載の入力装置の操作方法。
【請求項７】
前記第１の操作パターンで前記スイッチ部を操作後、最後に操作した前記他方向側の前記スイッチ部を連続して押圧してＯＮする第３の操作パターンに対応して、前記第１、第２の操作パターンで動作する前記機能と異なる機能が動作することを特徴とする請求項６記載の入力装置の操作方法。
【請求項８】
前記第２の操作パターンで前記スイッチ部を操作後、最後に操作した前記一方向側の前記スイッチ部を所定時間押圧してＯＮさせる第４の操作パターンに対応して、前記第１〜第３の操作パターンで動作する前記機能と異なる機能が動作することを特徴とする請求項６、または７記載の入力装置の操作方法。
【請求項９】
前記第１の操作パターンで前記スイッチ部を操作後に、この操作を一方向側にＵターンさせて前記第１の操作パターンで操作した同じ前記複数のスイッチ部を連続して操作する第５の操作パターンに対応して、前記第１〜第４の操作パターンで動作する前記機能と異なる機能が動作することを特徴とする請求項５乃至８のいずれかに記載の入力装置の操作方法。
【請求項１０】
前記第２の操作パターンで前記スイッチ部を操作後に、前記スイッチ部を押圧した状態で他方向側にＵターンさせて前記複数のスイッチ部を連続して操作する第６の操作パターンに対応して、第２〜第５の操作パターンで動作する前記機能と異なる機能が動作することを特徴とする請求項６乃至９のいずれかに記載の入力装置の操作方法。
【請求項１１】
前記第１の操作パターンで前記スイッチ部を操作後、再度前記第１の操作パターンを繰り返す第７の操作パターンに対応して、前記第１〜第６の操作パターンで動作する前記機能と異なる機能が動作することを特徴とする請求項５乃至１０のいずれかに記載の入力装置の操作方法。
【請求項１２】
前記第２操作パターンで前記スイッチ部を操作後、再度前記第２の操作パターンを繰り返す第８の操作パターンに対応して、前記第２〜第７の操作パターンで動作する前記機能と異なる機能が動作することを特徴とする請求項６乃至１１のいずれかに記載の入力装置の操作方法。
【請求項１３】
前記スイッチ操作において、前記操作部の同じ位置を２回繰り返し押圧する第９の操作パターンに対応して、少なくとも前記第１〜第８の操作パターンで動作させたそれぞれの機能を決定するようにしたことを特徴とする請求項５乃至１２のいずれかに記載の入力装置の操作方法。
【発明の詳細な説明】
【技術分野】
【０００１】
本発明は入力装置の操作方法に係わり、入力装置側に形成した複数のスイッチ部を操作により外部機器側の機能を制御可能な入力装置の操作方法に関する。
【背景技術】
【０００２】
従来、この種の入力装置の操作方法としては、外部機器である例えばテレビ受像器等のチャンネルを切り換え可能なリモコン装置（図示せず）には、テレビ受像器側のチャンネルを切り換え可能な入力装置が配設され、この入力装置は、１キー１機能の複数（例えばチャンネル数に対応する１２個）の操作キーが形成されている。そして、所望の操作キーを押圧操作することで、所望のチャンネルに切り換えることができた。
【０００３】
前記複数の操作キーは、操作部である表面にチャンネルに対応する数字が印刷形成され、操作キーのそれぞれの下部側には、可動接点と固定接点とが所定の隙間を有して形成されている。
そして、所望のチャンネルの数字の部分の操作キーを押圧操作することで、可動接点が固定接点に接触して所望のチャンネルを選択することができた。
【特許文献１】特開平  ５−３５５７５３号公報
【特許文献２】実開平  ５−３５５７５３号公報
【発明の開示】
【発明が解決しようとする課題】
【０００４】
しかし、従来の入力装置の操作方法だと、入力装置が１キー１機能の操作キーだったので、チャンネル選択以外の機能を操作キーに持たせようとすると、操作キーの数を増やさなければならず、入力装置が大型になると共に、構造が複雑になる問題があった。
本発明は前述したような課題を解決して、入力装置の小型が可能で構造が簡単な入力装置の操作方法を提供することを目的とする。
【課題を解決するための手段】
【０００５】
前記課題を解決するための第１の手段として本発明の入力装置の操作方法は、直線状の操作部と、この操作部と対向する下部に所定のピッチ寸法で整列して直線方向に形成した複数のスイッチ部とを有し、前記操作部を介して前記スイッチ部を操作するスイッチ操作によって外部機器の複数の機能を制御可能な入力装置の操作方法であって、前記スイッチ部は、少なくとも３個以上配設され、前記スイッチ操作は、複数の前記スイッチ部を操作する複数の操作パターンに対応して、前記外部機器の前記複数の機能を動作させるようにしたことを特徴とする。
また、前記課題を解決するための第２の手段として、前記入力装置には、前記スイッチ部が操作されたことを検出可能な制御部が配設され、前記制御部が、少なくとも３個以上の前記スイッチ部が操作されたことを検出すると、前記外部機器の前記機能を動作させるようにしたことを特徴とする。
また、前記課題を解決するための第３の手段として、前記外部機器側は、表示部を有し、前記複数の操作パターンに対応する所定の記号が前記表示部に表示されることを特徴とする。
【０００６】
また、前記課題を解決するための第４の手段として、前記外部機器は、音発生部を有し、前記複数の操作パターンに対応する所定の音が前記音発生部から出力されることを特徴とする。
また、前記課題を解決するための第５の手段として、一端部側に位置する前記スイッチ部から他方向側に順番に位置する少なくとも３個以上の前記スイッチ部を連続して操作する第１の操作パターンに対応して、前記複数の機能の内の一つが動作することを特徴とする。
また、前記課題を解決するための第６の手段として、他端部側に位置する前記スイッチ部から一方向側に順番に位置する少なくとも３個以上の前記スイッチ部を連続して操作する第２の操作パターンに対応して、前記第１の操作パターンで動作する前記機能と異なる機能が動作することを特徴とする。
【０００７】
また、前記課題を解決するための第７の手段として、前記第１の操作パターンで前記スイッチ部を操作後、最後に操作した前記他方向側の前記スイッチ部を連続して押圧してＯＮする第３の操作パターンに対応して、前記第１、第２の操作パターンで動作する前記機能と異なる機能が動作することを特徴とする。
また、前記課題を解決するための第８の手段として、前記第２の操作パターンで前記スイッチ部を操作後、最後に操作した前記一方向側の前記スイッチ部を所定時間押圧してＯＮさせる第４の操作パターンに対応して、前記第１〜第３の操作パターンで動作する前記機能と異なる機能が動作することを特徴とする。
また、前記課題を解決するための第９の手段として、前記第１の操作パターンで前記スイッチ部を操作後に、この操作を一方向側にＵターンさせて前記第１の操作パターンで操作した同じ前記複数のスイッチ部を連続して操作する第５の操作パターンに対応して、前記第１〜第４の操作パターンで動作する前記機能と異なる機能が動作することを特徴とする。
【０００８】
また、前記課題を解決するための第１０の手段として、前記第２の操作パターンで前記スイッチ部を操作後に、前記スイッチ部を押圧した状態で他方向側にＵターンさせて前記複数のスイッチ部を連続して操作する第６の操作パターンに対応して、第２〜第５の操作パターンで動作する前記機能と異なる機能が動作することを特徴とする。
また、前記課題を解決するための第１１の手段として、前記第１の操作パターンで前記スイッチ部を操作後、再度前記第１の操作パターンを繰り返す第７の操作パターンに対応して、前記第１〜第６の操作パターンで動作する前記機能と異なる機能が動作することを特徴とする。
【０００９】
また、前記課題を解決するための第１２の手段として、記第２操作パターンで前記スイッチ部を操作後、再度前記第２の操作パターンを繰り返す第８の操作パターンに対応して、前記第２〜第７の操作パターンで動作する前記機能と異なる機能が動作することを特徴とする。
また、前記課題を解決するための第１３の手段として、前記スイッチ操作において、前記操作部の同じ位置を２回繰り返し押圧する第９の操作パターンに対応して、少なくとも前記第１〜第８の操作パターンで動作させたそれぞれの機能を決定するようにしたことを特徴とする。
【発明の効果】
【００１０】
本発明の入力装置の操作方法において、入力装置のスイッチ部は、少なくとも３個以上配設され、スイッチ操作は、複数のスイッチ部を操作する複数の操作パターンに対応して、外部機器の複数の機能を動作させるようにしたので、１個の入力装置に形成した複数のスイッチ部を操作する複数の操作パターンに対応して、外部機器の複数の機能を操作することができる。そのために、構造が簡単で小型の入力装置を提供できる入力装置の操作方法とすることができる
また、入力装置には、スイッチ部が操作されたことを検出可能な制御部が配設され、制御部が、少なくとも３個以上のスイッチ部が操作されたことを検出すると、外部機器の機能を動作させるようにしたので、確実に外部機器の機能を動作させることができる。
【００１１】
また、外部機器側は、表示部を有し、複数の操作パターンに対応する所定の記号が表示部に表示されるので、表示部に表示される記号によりどの操作パターンが選択されているかを認識でき、操作性が良い。
また、外部機器は、音発生部を有し、複数の操作パターンに対応する所定の音が音発生部から出力されるので、更に操作性に優れている。
また、一端部側に位置するスイッチ部から他方向側に順番に位置する少なくとも３個以上の前記スイッチ部を連続して操作する第１の操作パターンに対応して、複数の機能の内の一つが動作するので、１個の入力装置で複数の操作パターンを操作することができ、小型の入力装置を提供できる。
また、他端部側に位置するスイッチ部から一方向側に順番に位置する少なくとも３個以上の前記スイッチ部を連続して操作する第２の操作パターンに対応して、第１の操作パターンで動作する機能と異なる機能が動作するので、小型の入力装置を提供できる。
【００１２】
また、第１の操作パターンで前記スイッチ部を操作後、最後に操作した前記他方向側の前記スイッチ部を連続して押圧してＯＮする第３の操作パターンに対応して、第１、第２の操作パターンで動作する前記機能と異なる機能が動作するので、入力装置を更に小型にできる。
また、第２の操作パターンで前記スイッチ部を操作後、最後に操作した一方向側のスイッチ部を所定時間押圧してＯＮさせる第４の操作パターンに対応して、第１〜第３の操作パターンで動作する機能と異なる機能が動作するので、１個の入力装置で複数の操作パターンを操作することができる。
【００１３】
また、第１の操作パターンで前記スイッチ部を操作後に、この操作を一方向側にＵターンさせて第１の操作パターンで操作した同じ複数のスイッチ部を連続して操作する第５の操作パターンに対応して、第１〜第４の操作パターンで動作する機能と異なる機能が動作するので、１個の入力装置で複数の操作パターンを操作することができる。
また、第２の操作パターンでスイッチ部を操作後に、スイッチ部を押圧した状態で他方向側にＵターンさせて複数のスイッチ部を連続して操作する第６の操作パターンに対応して、第２〜第５の操作パターンで動作する前記機能と異なる機能が動作するので、１個の入力装置で複数の操作パターンを操作することができる。
【００１４】
また、第１の操作パターンで前記スイッチ部を操作後、再度第１の操作パターンを繰り返す第７の操作パターンに対応して、第１〜第６の操作パターンで動作する機能と異なる機能が動作するので、入力装置を小型とすることができる。
また、第２操作パターンでスイッチ部を操作後、再度前記第２の操作パターンを繰り返す第８の操作パターンに対応して、第２〜第７の操作パターンで動作する機能と異なる機能が動作するので、入力装置を小型とすることができる。
また、スイッチ操作において、操作部の同じ位置を２回繰り返し押圧する第９の操作パターンに対応して、少なくとも第１〜第８の操作パターンで動作させたそれぞれの機能を決定するようにしたので、１個の入力装置で複数の操作パターンを操作することができ、小型の入力装置を提供できる。
【発明を実施するための最良の形態】
【００１５】
以下、本発明の入力装置の操作方法を図面に基づいて説明する。まず、図１は本発明に係わる入力装置を搭載したリモコン装置の平面図であり、図２は本発明に係わる操作部を示す部分拡大図であり、図３は本発明に係わる一実施の形態の入力装置の要部断面図であり、図４は本発明に係わる操作部の操作方法を説明する要部断面図であり、図５は本発明の具体的操作方法を説明する表である。
【００１６】
まず、本発明に係わる入装置を備えた電子機器をリモコン装置１で図１に基づいて説明すると、リモコン装置１は、表面２の図示上端部には、電波、又は赤外線等を用いて外部機器であるテレビ受像器等に向けて所定の信号を送出することが可能な送信部（図示せず）が形成されている。
【００１７】
また、リモコン装置１の表面２の上端部近傍には、例えば３個の操作ボタン３が設けられており、この操作ボタン３は、押圧式の操作スイッチからなり、操作キー３ａ、３ｂ、３ｃの上面に、例えばＡ、Ｂ、Ｃの記号が印刷形成されている。
そして、Ａ、Ｂ、Ｃの記号が印刷された操作キー３ａ、３ｂ、３ｃのいずれかを押圧操作すると、送信部から例えばテレビ受像器側に送出されて、例えばテレビ受像器の複数のメニュウが表示可能になっている。
【００１８】
また、リモコン装置１の操作ボタン３の図示下方の表面２には、本発明に係わる入力装置４が配設されている。この入力装置４は、リモコン装置１の横幅方向に直線状で帯状の操作部４ａが露出して形成され、この操作部４ａの図３に示す下部には、所定厚さの弾性体５が、操作部４ａと同じ長さに形成されている。
【００１９】
前記弾性体５は、柔軟性のある軟質の素材で形成され、初期状態においては、図３Ａに示すように、平坦状になっている。そして、弾性体５は、上面の操作部４ａを介して操作者の指等で押圧されて弾性変形しても、自身の弾性力で、初期状態の平坦状に自動復帰可能になっている。
また、操作部４ａは、低摩擦抵抗の材料からなり、操作部４ａ上を操作者の指等で押圧してＸ１方向、又はＸ２方向に移動させても、滑らかに移動させることができ操作性を向上できるようになっている。
【００２０】
また、弾性体５の下部には、操作部４ａの横長方向に沿ってフィルム状の補強シート６が配設され、この補強シート６の下面側には、少なくとも３個以上（例えば５個）の複数のスイッチ部Ｓ１〜Ｓ５が所定ピッチ寸法で等間隔に形成されている。
前記補強シート６の下面には、所定ピッチ寸法の複数のスイッチ部Ｓ１〜Ｓ５に対応して、略半球状で複数の突起６ａ〜６ｅが突出形成されている。
前記複数の突起６ａ〜６ｅは、例えば紫外線硬化型の樹脂（ＵＶ樹脂）等を印刷することにより形成されている。
前記突起６ａ〜６ｅは、紫外線硬化樹脂の限定されず、例えば球状の樹脂ボールを接着剤等で補強シート５に固着したものでも良い。
【００２１】
また、複数のスイッチ部Ｓ１〜Ｓ５は、突起６ａ〜６ｅと対向する側の図示下方側に、メンブレンシート７が配設され、このメンブレンシート７の上面に複数の突起６ａ〜６ｅが粘着層（図示せず）を介して接着固定されている。
このように、複数の突起６ａ〜６ｅがメンブレン７に接着されることで、弾性体５及び操作部４ａが上方に浮き上がるのを防止している。
また、メンブレンシート７は、図３に示すように、上部シート８と下部シート９とが、シート状のスペーサ１０を挟んで互いに対向して配設されている。
【００２２】
前記上部シート８と下部シート９とは、いずれもポリエチレンテレフタラート樹脂（ＰＥＴ）あるいは、ポリイミド樹脂等の可撓性を有する素材で形成され、スペーサ１０も同じ材料で形成されている。尚、スペーサ１０は、例えば接着層で形成したものでも良い。
また、突起６ａ〜６ｅが対向する位置の上部シート８と下部シート９の対向面には、円形の第１〜第５の可動接点部８ａ〜８ｅと第１〜第５の固定接点部９ａ〜９ｅが対向形成されている。
【００２３】
前記第１〜第５の可動接点部８ａ〜８ｅと第１〜第５の固定接点部９ａ〜９ｅとは、銅、あるいは銀等の導電性材料からなり、印刷等により例えば円形状に形成されている。
また、互いに対向して形成された第１〜第５の可動接点部８ａ〜８ｅと第１〜第５の固定接点部９ａ〜９ｅとの部分のスペーサ１０には、それぞれの可動接点部８ａ〜８ｅと固定接点部９ａ〜９ｅの外径より大きな貫通孔１０ａ〜１０ｅが形成されている。
【００２４】
また、下部シート９には、第１〜第５の固定接点部９ａ〜９ｅのそれぞれから個別引き出し線（図示せず）が引き出し形成され、上部シート８には、第１〜第５の可動接点部８ａ〜８ｅのそれぞれに導通する共通引き出し線（図示せず）が形成され、個別引き出し線及び共通引き出し線は、制御部（図示せず）にそれぞれ接続されている。
前記制御部によって、それぞれの個別引き出し線と共通引き出し線との間に所定の電圧が印加されており、図４に示すように、例えば第３可動接点部８ｃが形成された部分の入力装置４の操作部４ａを押圧すると、第３可動接点部８ｃと第３固定接点部９ｃとが互いに接触して導通して、スイッチ部Ｓ３が押圧操作されたことを検出可能になっている。
【００２５】
このようなリモコン装置１に搭載した本発明の入力装置４の操作方法を説明すると、外部機器である、例えばテレビ受像器の表示部である画面上には、複数のスイッチ部Ｓ１〜Ｓ５を操作する複数の操作パターンに対応する所定の記号が表示されるようになっている。
更に、前記記号だけでなく、外部機器には、複数のスイッチ部Ｓ１〜Ｓ５を操作する複数の操作パターンに対応する所定の音が、音発生部であるスピーカーから出力されるようになっている。
前記記号の表示及び音の出力は、両方行わなくいずれか片方だけでも良い。
【００２６】
前記入力装置４の操作方法を、図５に記載の例えばＨＤＤ録画機メニュウ選択画面の操作で説明すると、まず、図１に示す左端の操作ボタン３ａを操作すると、テレビ受像器の画面上には、ＨＤＤ録画機側の複数の機能の内の一つであるメニュウ選択画面が表示される。
この状態で、入力装置４の一端部側である図３に示す左端部側に位置するスイッチ部Ｓ１から図示右側である矢印Ａの他方向側に順番に位置する少なくとも３個以上のスイッチ部Ｓ１、Ｓ２、Ｓ３を連続して押圧操作する第１の操作パターンに対応して、テレビ受像器側の画面上に表示したＨＤＤ録画機の複数の機能の内の一つであるメニュウ選択送りを動作させることができる。
前記第１の操作パターンを行っているときは、テレビ受像器側に図５に示すような記号の表示または／及びピーピーピーというような電子音が出力されるようになっている。
【００２７】
また、ＨＤＤ録画機メニュウの画面が表示された状態で、入力装置４の他端部側である図３に示す右端部側に位置するスイッチ部Ｓ５から図示左側である矢印Ｂの一方向側に順番に位置する少なくとも３個以上のスイッチ部Ｓ５、Ｓ４、Ｓ３を連続して押圧操作する第２の操作パターンに対応して、ＨＤＤ録画機の機能の内の一つであるメニュウ選択戻しを動作させることができる。
前記第２の操作パターンを行っているときは、テレビ受像器側に図５に示すような記号の表示または／及びブーブーブーというような電子音が出力されるようになっている。
【００２８】
また、前述した第１の操作パターンでスイッチ部Ｓ１、Ｓ２、Ｓ３を操作後、最後に操作した矢印Ａの他方向側のスイッチ部Ｓ３を所定時間押圧してＯＮする第３の操作パターンに対応して、ＨＤＤ録画機の機能の内の一つであるメニュウ説明画面を出す動作を行うことができる。
前記第３の操作パターンを行っているときは、テレビ受像器側に図５に示すような記号の表示または／及びピピ、ビービーというような電子音が出力されるようになっている。
【００２９】
また、前述した第２の操作パターンでスイッチ部Ｓ５、Ｓ４、Ｓ３を押圧操作後、最後に押圧操作した一方向側のスイッチ部Ｓ３を所定時間押圧してＯＮする第４の操作パターンに対応して、ＨＤＤ録画機の機能の内の一つであるメニュウ説明画面を戻す動作を行うことができる。
前記第４の操作パターンを行っているときは、テレビ受像器側に図５に示すような記号の表示または／及びブブ、ブーブーというような電子音が出力されるようになっている。
【００３０】
また、前述した第１の操作パターンでスイッチ部Ｓ１、Ｓ２、Ｓ３を連続して矢印Ａの他方向に押圧操作後に、この操作を矢印Ｂの一方向側にＵターンさせて第１の操作パターンで操作した同じスイッチ部Ｓ３、Ｓ２、Ｓ１を連続して操作する第５の操作パターンに対応して、ＨＤＤ録画機の機能の内の一つであるメニュウ階層を深くする動作を行うことができる。
前記第５の操作パターンを行っているときは、テレビ受像器側に図５に示すような記号の表示または／及びピピッツというような電子音が繰り返し出力されるようになっている。
【００３１】
また、前述したような第２の操作パターンでスイッチ部Ｓ５、Ｓ４、Ｓ３を操作後に、この操作を矢印Ａの他方向側にＵターンさせて複数のスイッチ部Ｓ３、Ｓ４、Ｓ５を連続して操作する第６の操作パターンに対応して、ＨＤＤ録画機の機能の内の一つであるメニュウ階層を浅くする動作を行うことができる。
前記第６の操作パターンを行っているときは、テレビ受像器側に図５に示すような記号の表示または／及びブブッツというような電子音が繰り返し出力されるようになっている。
【００３２】
また、前述した第１の操作パターンでスイッチ部Ｓ１、Ｓ２、Ｓ３を操作後、再度第１の操作パターンを繰り返してスイッチ部Ｓ１、Ｓ２、Ｓ３を押圧操作する第７の操作パターンに対応して、ＨＤＤ録画機の機能の内の一つであるメニュウ次画面を表示する動作を行うことができる。
前記第７の操作パターンを行っているときは、テレビ受像器側に図５に示すような記号の表示または／及びピンピンというような電子音が繰り返し出力されるようになっている。
【００３３】
また、前述したような第２操作パターンでスイッチ部Ｓ５、Ｓ４、Ｓ３を操作後、再度第２の操作パターンを繰り返してスイッチ部Ｓ５、Ｓ４、Ｓ３を押圧操作する返す第８の操作パターンに対応して、ＨＤＤ録画機の機能の内の一つであるメニュウ全画面を表示する動作を行うことができる。
前記第８の操作パターンを行っているときは、テレビ受像器側に図５に示すような記号の表示または／及びブッブッというような電子音が繰り返し出力されるようになっている。
【００３４】
また、前述したようなスイッチ操作において、操作部４ａの同じ位置にあるスイッチ部を２回繰り返し押圧操作する第９の操作パターンに対応して、少なくとも第１〜第８の操作パターンで動作させたそれぞれの機能が決定する動作が行われるようになっている。前記第９の操作パターンでは、第１〜第８の操作パターンで動作させたそれぞれの機能を決定するだけでなく、電源スイッチをＯＮ／ＯＦＦするようにすることもできる。
即ち、第９の操作パターンに対応して、少なくとも第１〜第８の操作パターンで動作させたそれぞれの機能が決定する動作が行われるようになっている。
また、第９の操作パターンを行っているときは、テレビ受像器側に図５に示すような記号の表示または／及びピンポンというような電子音が繰り返し出力されるようになっている。
【００３５】
尚、本発明の実施の形態では、外部機器をＨＤＤ録画機で説明すると共に、その操作方法としてメニュウ選択画面を操作する動作について説明したが、本発明はＨＤＤ録画機に限定されず、例えば図５に示すように、第１〜第９の操作パターンで、例えばＶＴＲ、ＴＶ、ＤＶＤ、カーナビゲーション等の複数の機能を動作させることも可能である。
また、本発明の実施の形態では、それぞれのスイッチ部Ｓ１〜Ｓ５をメンブレンシート７に形成したもので説明したが、例えば上部シート９を用いないで、突起６ａ〜６ｅに直接可動接点を形成し、突起６ａ〜６ｅを下部シート９の第１〜第５の固定接点部９ａ〜９ｅに接触させるようにしたものでも良い。
【図面の簡単な説明】
【００３６】
【図１】本発明に係わる入力装置を搭載したリモコン装置の平面図である。
【図２】本発明に係わる入力装置の操作部を示す部分拡大図である。
【図３】本発明に係わる一実施の形態の入力装置の要部断面図である。
【図４】本発明に係わる操作部の操作方法を説明する要部断面図である。
【図５】本発明の具体的操作方法を説明する表である。
【符号の説明】
【００３７】
１  リモコン装置
２  表面
３  操作ボタン
３ａ  操作キー
４  入力装置
４ａ  操作部
５  弾性体
６  補強シート
６ａ〜６ｅ  突起
Ｓ１〜Ｓ５  スイッチ部
７  メンブレン
８  上部シート
８ａ〜８ｅ  第１〜第５の可動接点部
９  下部シート
９ａ〜９ｅ  第１〜第５の固定接点部
１０  スペーサ
１０ａ〜１０ｅ  貫通孔
【図１】
2006166048.tif 000003
【図２】
2006166048.tif 000004
【図３】
2006166048.tif 000005
【図４】
2006166048.tif 000006
【図５】
2006166048.tif 000007